(57)【要約】      （修正有）【課題】各種径の柄に対応して使用することができる柄の端部の調整具を提供する。【解決手段】柄２の頭部４が挿入可能な開口部９に、複数の角部10〜14を内側に突設し、これら開口部９自体と複数の角部10,11,12は開口部９の奥側に向けて高低差を有して複数段設けられる。これら開口部９、複数の角部10〜13は開口部９側の開口幅が奥側より大きく設けられる。開口部９及び前記角部10,11,12は平面が円形であって、それぞれの中心は同一の軸線Ｘ上に配置される。開口部９、角部10,11,12の交差角度はほぼ直角又は鋭角に形成されている。頭部４に開口部９を挿入することで簡単に位置決めできる。開口部９を含む複数の角部10,11,12のいずれかによって頭部４を削り取るなどして調整でき、１個で各種径の柄２を調整することができるようになる。【選択図】図１
0003134949.tif 000002
【実用新案登録請求の範囲】
【請求項１】
柄の端部が挿入可能な開口部に複数の角部を内側に突出し、これら複数の角部は前記開口部の奥側に向けて複数段設けられると共に、これら複数段の角部は前記開口部側の角部の開口幅が大きく前記奥側の角部の開口幅が小さくなるように設けられたことを特徴とする柄の調整具。
【請求項２】
前記角部は平面が円形であって、それぞれ角部の円形の中心は同一の軸線上に配置されることを特徴とする請求項１記載の柄の調整具。
【請求項３】
前記角部はそれぞれ前記開口部側に配置されると共に前記軸線の長手方向と交差する幅側内周面と、該幅側内周面の内側に配置され前記軸線の長手方向と平行な長手側内周面とによって形成されることを特徴とする請求項２記載の柄の調整具。
【請求項４】
前記幅側内周面と前記長手側内周面との交差角度がほぼ直角又は鋭角であることを特徴とする請求項３記載の柄の調整具。
【請求項５】
最も奥側の前記角部のさらに奥側にごみ収納用空間を設けたことを特徴とする請求項１〜４のいずれか１項に記載の柄の調整具。
【請求項６】
前記柄が頭部にリング状の補強金具が設けられる鑿の木製柄であって、前記端部が前記頭部であることを特徴とする請求項１〜５のいずれか１項に記載の柄の調整具。
【考案の詳細な説明】
【技術分野】
【０００１】
本考案は、鑿などの柄を削って調整する柄の調整具に関するものである。
【背景技術】
【０００２】
従来、木槌等によって叩いて使う鑿は、柄と刃体とを備え、柄の上部側である頭部の外周に、桂等と称するリング状の補強金具が設けられている（例えば、特許文献１）。補強金具は鑿の頭部を叩いて使用したときに頭部の叩き割れを防止するために頭部に嵌合しているものである。そして、正常の使用状態では柄の端が補強金具より少し上に出て、補強金具が下がった状態となっており、柄の頭部を叩いて穴彫り等を行うものである。
【０００３】
しかしながら、鑿を使い込んでいくうちに柄の頭部が潰れてしまい、柄の頭部を正確に叩くことができなくなるおそれが生じる。このために桂下げ等と称する修復作業を行っている。この修復作業は、柄から補強金具を抜き取ると共に、柄の頭部の端やその外周側を切除などによってその形状を元の形状に調整するものである。そして、この調整後に再び補強金具を柄に取り付けて使用するものである。
【特許文献１】特開平９−９９４０７号公報
【考案の開示】
【考案が解決しようとする課題】
【０００４】
ところで、柄の頭部の端を切除等によって例えば水平になるように調整するには、ヤスリやナイフなどの手動利器では、柄の頭部に対するヤスリやナイフなどの位置決めが容易でなく、正確な調整を行うことができないという問題があった。
【０００５】
また、鑿は各種のものが揃えられて使用されるものであるが、複数本の鑿の柄の調整を行うことは煩雑であった。
【０００６】
解決しようとする問題点は、各種径の柄に対応して使用することができる柄の端部の調整具を提供する点である。
【課題を解決するための手段】
【０００７】
請求項１の考案は、柄の端部が挿入可能な開口部に複数の角部を内側に突出し、これら複数の角部は前記開口部の奥側に向けて複数段設けられると共に、これら複数段の角部は前記開口部側の角部の開口幅が大きく前記奥側の角部の開口幅が小さくなるように設けられたことを特徴とする柄の調整具である。
【０００８】
請求項２の考案は、前記角部は平面が円形であって、それぞれ角部の円形の中心は同一の軸線上に配置されることを特徴とする請求項１記載の柄の調整具である。
【０００９】
請求項３の考案は、前記角部はそれぞれ前記開口部側に配置されると共に前記軸線の長手方向と交差する幅側内周面と、該幅側内周面の内側に配置され前記軸線の長手方向と平行な長手側内周面とによって形成されることを特徴とする請求項２記載の柄の調整具である。
【００１０】
請求項４の考案は、前記幅側内周面と前記長手側内周面との交差角度がほぼ直角又は鋭角であることを特徴とする請求項３記載の柄の調整具である。
【００１１】
請求項５の考案は、最も奥側の前記角部のさらに奥側にごみ収納用空間を設けたことを特徴とする請求項１〜４のいずれか１項に記載の柄の調整具である。
【００１２】
請求項６の考案は、前記柄が頭部にリング状の補強金具が設けられる鑿の木製柄であって、前記端部が前記頭部であることを特徴とする請求項１〜５のいずれか１項に記載の柄の調整具である。
【考案の効果】
【００１３】
請求項１の考案によれば、柄の端部に開口部を挿入することで、柄に対して位置決めでき、そして複数段の角部のいずれかによって柄を削り取るなどして調整でき、１個で各種径の柄を調整することができる。
【００１４】
請求項２の考案によれば、柄の軸線に角部の軸線を一致させて調整部を回転することで、平面が円形な角部によって柄を柄の軸線を中心として円筒形に削り取るなどして調整することができる。
【００１５】
請求項３の考案によれば、角部は長手側内周面と幅側内周面によって形成されているので、柄の外周が本来の直径に調整されると、柄の端部が幅側内周面に当接するようになるので、それ以上に柄が削り取られるようなことはない。
【００１６】
請求項４の考案によれば、長手側内周面と幅側内周面との交差角度がほぼ直角又は鋭角のように鋭利状になっているので、柄を鋭利状な角部により確実に削り取ることができる。
【００１７】
請求項５の考案によれば、ごみ収納用空間によって削り取られたごみを溜めることができ、削り取られたごみが角部による削り取りを阻害することはない。
【００１８】
請求項６の考案によれば、鑿の木製の直径が各種あっても、１個の調整具によって柄をそれぞれ正確に削り取って調整することができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜図２は実施例１を示しており、鑿１はほぼ円柱形の木製柄２の先端に刃体３が接続されており、柄２の上部側である頭部４の外周に、桂等と称する図１の破線で示したリング状の補強金具５が設けられている。尚、図１では補強金具５を外した状態を示している。
【００２１】
鑿１の柄２の頭部４の調整具６は、本体７が鉄など金属製であって手で握れる程度の裁頭円錐形、円錐形、円柱形などのように底面８が平面円形のものであって、その底面８に柄２の頭部４が挿入可能な開口部９が内側に向いた、すなわち本体７の軸線Ｘに対向する第１の角部として段状に形成されている。
【００２２】
さらに、前記開口部９の奥側に、すなわち開口部９の上方に角部を複数段設ける。実施例では第１の角部となる開口部９側から第２〜６の角部10〜14の５段を奥側に向けて高低差を有して設ける。これら第１の角部としての開口部９及び第２〜６の角部10〜14は、本体７の軸線Ｘに中心が一致するように平面が円形に形成されているものであって、開口部９の開口幅が最大となって、開口部９側の第２の角部10の開口幅が大きく奥側の第６の角部14の開口幅が小さくなるように順次縮径するように設けられている。すなわち、開口部９の直径である開口幅をＡ、第２〜６の角部の開口幅である開口直径をそれぞれＢ，Ｃ，Ｄ，Ｅ，Ｆであらわしたとき、Ａ＞Ｂ＞Ｃ＞Ｄ＞Ｅ＞Ｆに形成されている。尚、開口部９及び第２〜６の角部10〜14は、実施例の場合は平面が連続した円形の場合を示しているが、断続的な円形でもよい。
【００２３】
そして、開口部９は軸線Ｘの長手方向と直交する底面８と、軸線Ｘの長手方向と平行な第１の長手側内周面９Ａとによって直角な段状に形成されている。さらに第２の角部10は、第１の長手側内周面９Ａの端部に接続して軸線Ｘの長手方向と直交する第２の幅側内周面10Ｂと、この第２の幅側内周面10Ｂの内側端部に交差状態で接続し軸線Ｘの長手方向と平行な第２の長手側内周面10Ａにより形成される。第２の幅側内周面10Ｂと第２の長手側内周面10Ａとの交差角度Ｙは、ほぼ直角又は鋭角に形成されている（Ｙ＝１２０度〜９０度又はＹ＜９０度、好ましくは９０度）。同様に、第３〜６の角部11〜14は、第３〜６の幅側内周面11Ｂ，12Ｂ，13Ｂ，14Ｂと、第３〜６の長手側内周面11Ａ，12Ａ，13Ａ，14Ａにより形成される。尚、第６の角部14の交差角度Ｙ´は鈍角に形成されている。また開口部９も同様な角度に形成されている。さらに、最も奥側の前記第６角部14のさらに奥側には切屑を収容するごみ収納用空間15を設けている。
【００２４】
尚、図中は本体７の外周に設けた指掛け部16であり、外周面に対して凹状に形成されている。
【００２５】
次に前記構成についてその作用を説明する。叩かれて頭部４が潰れて径大となった柄２から図１に示すように補強金具５を取り外す。次に指掛け部16に指を掛けて頭部４に開口部９を当てるようにして本体７を押込む。この際、本体７の軸線Ｘが柄２の軸線に一致するように配置する。そして、軸線Ｘを回転中心として本体７を回転すると頭部４は、実施例１では第１の角部としての開口部９、すなわち底面８と第１の長手側内周面９Ａとによって頭部４外周などの余計な部分が削られる。さらに本体７を頭部４に対して押込むことで、開口部９より縮径された第２の角部10が頭部４に嵌まり込み、第２の幅側内周面10Ｂと第２の長手側内周面10Ａにより頭部４外周の余計な部分が削られる。さらに本体７を頭部４に対して押込むことで、第２の角部10より縮径された第３の角部11が頭部４に嵌まり込み、第３の幅側内周面11Ｂと第３の長手側内周面11Ａにより頭部４外周の余計な部分が削られる。この第３の角部においては、第３の角部の開口幅である開口直径Ｃが、頭部４の本来の直径Ｇとほぼ一致することで、頭部４の先端が第４の幅側内周面12Ｂに突き当たって、本体７をさらに押込んでその押込みを阻止できるようになっており、この結果頭部４が第４の角部12などにより削り取られるようなことはなくなる。この際、生じた木屑の一部はごみ収納用空間15に収容されて削り取りを邪魔しないようになっている。
【００２６】
このようにして、柄２の頭部４外周上部を本来の直径Ｇに削り直した後、本体７を頭部４より外し、再び頭部４に補強金具５を取り付けて使用するものである。
【００２７】
一方、図２の２点鎖線に示すように例えば前記柄２より細い柄２´の場合には、開口部９から第６の角部14によって係止されるまで、第１〜５の角部によって頭部４外周は削り取られる。
【００２８】
以上のように、前記実施例では請求項１に対応して、柄２の頭部４が挿入可能な開口部９に、複数の角部10〜14を内側に突設し、これら開口部９自体と複数の角部10〜14は開口部９の奥側に向けて高低差を有して複数段設けられると共に、これら開口部９、複数の角部10〜14は開口部９側の開口幅Ａ〜Ｅが奥側より大きく設けられたことにより、開口部９を頭部４に挿入して位置決めし、その上で回動することで頭部４のはみ出ている箇所などを簡単に削り落とし、さらに開口部９を含む複数の角部10〜14のいずれかによって柄２を削り取るなどして調整でき、１個で各種径の柄２を調整することができるようになる。
【００２９】
前記実施例では請求項２に対応して、開口部９及び前記角部10〜14は平面が円形であって、それぞれの中心は同一の軸線Ｘ上に配置されることにより、柄２を本体７の軸線Ｘを中心として円筒形に削り取るなどして調整することができるようになる。
【００３０】
前記実施例では請求項３に対応して、前記開口部９と前記角部10〜14は、それぞれ前記開口部９側に配置されると共に前記軸線Ｘの長手方向と交差する幅側内周面の機能を有する底面８及び第２〜６幅側内周面10Ｂ，11Ｂ，12Ｂ，13Ｂ，14Ｂと、これら底面８及び第２〜６幅側内周面10Ｂ，11Ｂ，12Ｂ，13Ｂ，14Ｂの内側に配置され前記軸線Ｘの長手方向と平行な長手側内周面９Ａ，10Ａ，11Ａ，12Ａ，13Ａ，14Ａとによって形成されることにより、柄２の外周が本来の直径Ｇに調整されると、柄２の頭部４が幅側内周面10Ｂ，11Ｂ，12Ｂ，13Ｂ，14Ｂのいずれかに当接し、それ以上に柄２が削り取られるようなことはない。
【００３１】
前記実施例では請求項４に対応して、底面８及び第２〜６幅側内周面10Ｂ，11Ｂ，12Ｂ，13Ｂ，14Ｂと、長手側内周面９Ａ，10Ａ，11Ａ，12Ａ，13Ａ，14Ａとの交差角度Ｙがほぼ直角又は鋭角であることにより、柄２を鋭利な第１の角部である開口部９及び角部10〜13により確実に削り取ることができる。
【００３２】
前記実施例では請求項５に対応して、最も奥側の第６の角部14のさらに奥側にごみ収納用空間15を設けたことにより、ごみ収納用空間15によって削り取られたごみを溜めることができようになる。
【００３３】
前記実施例では請求項６に対応して、前記柄２が頭部４にリング状の補強金具５が設けられる鑿１の木製柄２であって、端部がその頭部４であることにより、押しつぶされた鑿１の柄２の頭部４を簡単にしかも正確な直径に仕上げることができる。
【実施例２】
【００３４】
図３は実施例２を示しており、前記実施例１と同一部分には同一符号を付し、その詳細な説明を省略する。実施例２では、柄２よりはるかに径大な開口部９´の奥側をテーパ部21とし、このテーパ部21の奥側に第１の角部９が設けられており、この第１の角部９の奥側にさらに他の縮径した角部10〜14が設けられたものである。
【００３５】
このように、開口部９´自体が柄２を調整するための角部が形成されておらず、奥側にある各種の角部９´，10〜14によって柄２を調整できるようにしてもよい。
【産業上の利用可能性】
【００３６】
以上のように本考案にかかる柄の調整具は、鑿以外の柄など各種の用途に適用できる。
【図面の簡単な説明】
【００３７】
【図１】本考案の実施例１を示す斜視図である。
【図２】同断面図である、
【図３】本考案の実施例２を示す断面図である。
【符号の説明】
【００３８】
１  鑿
２  柄
４  頭部（端部）
５  補強金具
８  底面
９  開口部（第１の角部を兼用）
10〜14  角部
９Ａ，10Ａ，11Ａ，12Ａ，13Ａ，14Ａ  長手側内周面
10Ｂ，11Ｂ，12Ｂ，13Ｂ，14Ｂ  幅側内周面
15  ごみ収納用空間
Ａ〜Ｆ  開口幅
Ｘ  軸線
Ｙ  交差角度
【図１】
0003134949.tif 000003
【図２】
0003134949.tif 000004
【図３】
0003134949.tif 000005